(57)【要約】【課題】  一つの機器制御装置を用いて、種類に関係なく複数の電子機器の中から、特定の電子機器を確実に遠隔操作できるようにする。【解決手段】  遠隔操作装置から機器制御装置に接続されている複数の電子機器を、遠隔操作装置により遠隔から操作する際に、遠隔操作装置が、選択された電子機器に対応する機器制御装置のポート番号と、選択された電子機器の赤外線コードからなる赤外線用制御データ５０を、その機器制御装置に対し送信し、遠隔操作装置から送信された赤外線用制御データ５０を機器制御装置が受信し、受信した赤外線用制御データ５０の赤外線コードに基づいて赤外線信号を生成し、赤外線用制御データ５０のポート番号と対応するポートに接続されている赤外線発光部より、当該赤外線発光部と対をなす電子機器に対して赤外線信号を出力する構成とした。【選択図】        図１０
2006324922.tif 000002
【特許請求の範囲】
【請求項１】
複数の電子機器を遠隔操作する遠隔操作装置であって、
前記複数の電子機器が接続されている機器制御装置のポート番号と各ポートに接続されている電子機器とが対応付けられた第１テーブルと、前記電子機器と当該電子機器を制御する赤外線コードとが対応付けられた第２テーブルとを記憶する記憶部と、
遠隔操作の入力操作が行われた場合、前記機器制御装置に対し、前記第１テーブルから選択された電子機器に対応するポート番号と、選択された前記電子機器の赤外線コードからなる赤外線用制御データを送信する制御部と
を有することを特徴とする遠隔操作装置。
【請求項２】
前記赤外線用制御データは、通信回線網を介して又は直接、前記遠隔操作装置から前記機器制御装置へ送信される
ことを特徴とする請求項１に記載の遠隔操作装置。
【請求項３】
外部から機器制御装置のポート番号及電子機器を制御する赤外線コードからなる赤外線用制御データを受信する受信部と、
前記赤外線コードに基づいて赤外線信号を生成する複数の赤外線発光回路部と、
前記赤外線発光回路部と対をなし前記赤外線発光回路部で生成された赤外線信号を前記電子機器に対して出力する複数の赤外線発光部と、
前記受信部で受信した赤外線用制御データのポート番号と対応するポートに接続されている赤外線発光回路部に対し、受信した赤外線コードに基づいて赤外線信号を生成させ、前記赤外線発光部より出力させる制御部と
を有することを特徴とする機器制御装置。
【請求項４】
遠隔操作装置から機器制御装置に接続されている複数の電子機器を、遠隔操作装置により遠隔から操作する遠隔操作方法であって、
前記遠隔操作装置が、選択された電子機器に対応する前記機器制御装置のポート番号と、選択された前記電子機器の赤外線コードからなる赤外線用制御データを、前記機器制御装置に対し送信する処理と、
前記遠隔操作装置から送信された前記赤外線用制御データを前記機器制御装置が受信する処理と、
前記受信した前記赤外線用制御データの赤外線コードに基づいて赤外線信号を生成する処理と、
前記赤外線用制御データのポート番号と対応するポートに接続されている赤外線発光部より、当該赤外線発光部と対をなす電子機器に対して前記赤外線信号を出力する処理と
を有することを特徴とする遠隔操作方法。
【発明の詳細な説明】
【技術分野】
【０００１】
本発明は、電子機器を遠隔操作する遠隔操作装置、その遠隔操作装置の制御対象となる電子機器が複数接続されている機器制御装置及び遠隔操作方法に関する。
【背景技術】
【０００２】
従来、赤外線ポートを有しリモコン（リモートコントローラ）からの赤外線による制御信号を受信して制御可能な、例えばビデオデッキ、ＤＶＤプレーヤ、ＢＳチューナなどの電子機器を、リモコンから遠隔制御することができる。ところで、赤外線は指向性があるので、赤外線ポートを有する複数の電子機器を操作する場合、リモコンの赤外線発光部を、逐一操作対象の電子機器方向へ向けなければならず、使い勝手が悪かった。
そこで、リモコンからの操作命令を機器制御装置が受信し、受信した操作命令をサーバ装置に送信し、このサーバ装置を介してこのサーバ装置に接続されている複数の電子機器を遠隔から制御する通信システムが提案されている（例えば、特許文献１参照。）。
【特許文献１】特開２００４−２２０１０６号公報
【発明の開示】
【発明が解決しようとする課題】
【０００３】
ところで、ＤＶＤプレーヤ、ビデオデッキ等、電子機器は、操作命令すなわち赤外線コードの仕様が電子機器毎に異なるので、操作命令を送信する際にサーバ装置のポートを特定する必要がなかった。つまり赤外線コードを送信すると、自動的にその赤外線コードに対応する電子機器が特定されるのである。
この場合、同じ電子機器、例えばＤＶＤプレーヤがサーバ装置に並設されていると、２台同時に動作してしまうという問題があった。引用文献１においては、２台のＤＶＤプレーヤを接続するサーバ装置をそれぞれ別にして対応している。
しかしながら、サーバ装置を２台設けた場合、サーバ装置の設置台数が増加するのでコスト上昇を招くという問題がある。また、より広い設置スペースが必要となる問題が生じする。
【０００４】
本発明は斯かる点に鑑みてなされたものであり、一つの機器制御装置を用いて、種類に関係なく複数の電子機器の中から、特定の電子機器を遠隔操作できるようにすることを目的とする。
【課題を解決するための手段】
【０００５】
上記課題を解決するため、本発明は、遠隔操作装置から機器制御装置に接続されている複数の電子機器を、遠隔操作装置により遠隔から操作する際に、遠隔操作装置が、選択された電子機器に対応する機器制御装置のポート番号と、選択された電子機器の赤外線コードからなる赤外線用制御データを、その機器制御装置に対し送信し、遠隔操作装置から送信された赤外線用制御データを機器制御装置が受信し、受信した赤外線用制御データの赤外線コードに基づいて赤外線信号を生成し、赤外線用制御データのポート番号と対応するポートに接続されている赤外線発光部より、当該赤外線発光部と対をなす電子機器に対して赤外線信号を出力する構成とした。
【０００６】
上述の構成によれば、キー入力に対する赤外線制御データに、機器制御装置のポート番号とそのポート番号に対応する電子機器の赤外線コードを重畳したので、機器制御装置に複数の電子機器が接続されている場合でも、ポート番号より容易に電子機器を特定することができる。
【発明の効果】
【０００７】
本発明によれば、キー入力に対する赤外線制御データに、機器制御装置のポート番号とそのポート番号に対応する電子機器の赤外線コードを重畳したので、機器制御装置５に複数の電子機器が接続されている場合でも、ポート番号より容易に電子機器を特定することができ、制御対象の電子機器に確実に所望の動作を行わせることができる。したがって、一つの機器制御装置を用いて、種類に関係なく複数の電子機器の中から、特定の電子機器を確実に遠隔操作できる。
【発明を実施するための最良の形態】
【０００８】
以下本発明を実施するための最良の形態の例を説明するが、本発明は以下の例に限定されるものではない。
【０００９】
図１は、本発明の第１実施の形態例に係るシステム構成を示す図である。図１に示すように、本例のシステムは、いわゆるリモコンとして機能する遠隔操作装置１、クレードル２、無線のアクセスポイント（以下、「ＡＰ」という)３、ＬＡＮ（Local Area Network）などの通信回線網４、機器制御装置５から構成される。機器制御装置５の各ポートＰ１，Ｐ２，Ｐ３，Ｐ４，Ｐ５に接続されている赤外線発光部６ａ，６ｂ，６ｃ，６ｄ，６ｅは、各電子機器１１，１２，１３，１４，１５の赤外線受光部１１ａ，１２ｂ，１３ｃ，１４ｄ，１５ｅに備え付けられている。電子機器には、例えばビデオデッキ、ＣＤプレーヤ、ＤＶＤプレーヤ、ＨＤＤ（ハードディスク）プレーヤなどが挙げられるが、この例に限るものではない。これら赤外線発光部６ａ〜６ｅと、赤外線受光部１１ａ，１２ｂ，１３ｃ，１４ｄ，１５ｅは、赤外線信号が届く範囲内の距離をおいて配置されていてもよい。
【００１０】
上記システムの遠隔操作装置１からクレードル２までは、非ＩＰ（Internet Protocol）のワイヤレス（無線）接続で、独自の通信を持つシリアルバス、もしくは内部バス的な扱いである。また、クレードル２からＡＰ３、通信回線網４及び機器制御装置５の間は、ＩＰプロトコルによる通信とする。クレードル２は遠隔操作装置１からの非ＩＰデータを、ＩＰプロトコルに乗せるための処理を行い、例えばＩＥＥＥ８０２．１１で規定された無線通信を行なう。ＡＰ３はＩＰブリッジとして機能し、クレードル２から受信したデータをイーサネット（登録商標）等で構成された通信回線網４へ受け渡す役目を行なう。機器制御装置５は通信回線網４よりＩＰプロトコルで送信されてきたデータから、赤外線用コントロールに必要な情報を取り出し、赤外線信号による送信を行い、接続された電子機器を制御する。
【００１１】
図２は、遠隔操作装置１のブロック構成例を示すものである。遠隔操作装置１は、液晶表示装置等からなるディスプレイ２１と、その上に配置されるタッチパネル２２、押ボタンキーやジョグダイアルなどからなるキー入力部２３、クレードル２と通信する非ＩＰプロトコル用無線通信部２４、ＩＰプロトコル用無線通信部２５、例えばフラッシュメモリ等からなる不揮発性メモリ２６、これら各部の制御及び各種の演算処理を行なうＣＰＵ（Central Processing Unit）等からなる制御部２７から構成されている。これらの各部がバスで接続された構成でもよい。
【００１２】
上記不揮発性メモリ２６は、複数の電子機器１１〜１５が接続されている機器制御装置５のポート番号Ｐ１〜Ｐ５と各ポートに接続されている電子機器とが対応付けられた第１テーブルと、電子機器１１〜１５と当該電子機器において制御できる赤外線コードとが対応付けられた第２テーブルとが記憶されている。
図３に、遠隔操作装置１の不揮発メモリ２６に記憶されている、機器制御装置５のポート番号Ｐ１〜Ｐ５とそのポートに接続されている電子機器１１〜１５との対応を示したテーブルを示す。
図４に、遠隔操作装置１の不揮発メモリ２６に記憶されている、電子機器１１〜１５と当該電子機器１１〜１５を選択時に制御できる赤外線コードとの対応を示したテーブルを示す。例えば電子機器１１では、操作可能な「再生」、「停止」、・・・のそれぞれについて赤外線コード「Ｃａ１」、「Ｃａ２」、・・・が割り当てられる。
ここで、例えば電子機器１１と電子機器１２が異なる種類、例えばビデオデッキとＤＶＤプレーヤであるような場合、仮に再生という同様の機能であっても「Ｃａ１」「Ｃｂ１」といったように異なる赤外線コードである。
一方、例えば電子機器１１と電子機器１２が同じ種類、例えばＤＶＤプレーヤとＤＶＤプレーヤであるような場合、再生という同様の機能であれば同じ赤外線コードである。
【００１３】
図５は、クレードル２のブロック構成例を示すものである。クレードル２は、遠隔操作装置１及びＡＰ３と通信を行なう機能や遠隔操作装置１の充電器としての機能を持つ。クレードル２は、遠隔操作装置１と通信する非ＩＰプロトコル用無線通信部３１、通信回線網４と通信するＩＰプロトコル用無線通信部３２、ＩＰプロトコル用無線通信部３３、例えばフラッシュメモリ等からなる不揮発性メモリ３４、これら各部の制御及び各種の演算処理を行なうＣＰＵ等からなる制御部３５から構成されている。これらの各部がバスで接続された構成でもよい。
【００１４】
図６は、機器制御装置５のブロック構成例を示すものである。機器制御装置５は、当該機器制御機器２に接続された電子機器１１〜１５を制御するものであり、遠隔操作装置Ｉから送信された赤外線用制御データを所定の赤外線信号に変換し、その赤外線用制御データ内で指定されたポート番号のポートに接続されている赤外線発光部より当該赤外線信号を発光する。機器制御装置５は、通信回線網４と通信するＩＰプロトコル用通信部４１、非ＩＰプロトコル用無線通信部４２、赤外線を生成する赤外線発光回路部４３,４４,４５,４６,４７、例えばフラッシュメモリ等からなる不揮発性メモリ４８、これら各部の制御及び各種の演算処理を行なうＣＰＵ等からなる制御部４９から構成されている。これらの各部がバスで接続された構成でもよい。
なお、赤外線発光回路部４３〜４７には、各ポートＰ１〜Ｐ５を介してそれぞれ赤外線発光部６ａ〜６ｅを接続する。
【００１５】
次に、上記第１実施の形態例に係るシステム構成の動作について説明する。
図７は、遠隔操作装置１、クレードル２及び機器制御装置５の動作フローチャートを示すものである。まず、利用者は、遠隔操作前に、機器制御手段５に接続した電子機器の機種を設定する。制御部２７は、設定された内容を不揮発性メモリ２６に記憶している第２テーブルに登録する（ステップＳ１）。続いて、利用者によりその電子機器が機器制御装置５のどのポートに接続されているかを設定後、制御部２７は設定された内容を不揮発性メモリ２６に記憶されている第１テーブルに登録する（ステップＳ２）。
【００１６】
設定が終了後、利用者によるキー入力が行われる（ステップＳ３）。図８は、利用者が遠隔操作を行なう際のＧＵＩ（Graphical User Interface）の例として、電子機器選択メニュー画面を示したものである。この画面において、利用者が例えば電子機器１２を選択すると、次の画面へ移行する。図９は、選択した電子機器１２に対する操作メニュー画面の例を示したものである。この例では、再生、逆再生、停止、一時停止、早送り、巻き戻し、次の曲を頭出し、現在の曲を頭出し、ボリュームの大、小、が表示されている。利用者が何らかのキー入力を行なうと次ステップへ移行する。
【００１７】
次に、制御部２７は、キー入力の内容を検出し、その入力内容が有効かどうかを判定して（ステップＳ４）、有効でない場合はステップＳ３の処理に戻る。そして、ステップＳ４の判断処理において、有効なキー入力であると判断した場合、入力キーに伴うデータ、すなわち遠隔操作装置１から電子機器を制御するための赤外線用制御データ（赤外線コントロールデータ）を作成する（ステップＳ５）。
【００１８】
図１０は、赤外線用制御データの例を示したものである。図１０に示すように、赤外線用制御データ５０は、機器制御装置５のＩＰアドレス、ポート番号、赤外線コードデータから構成される。例えば非ＩＰ通信を行なう際には必要に応じて非ＩＰ通信用のヘッダを作成するなどの処理を行なうようにする。このポート番号を含むことによって、制御対象電子機器が複数の場合でも、ポート番号に対応する電子機器を特定することができ、確実に制御対象の電子機器に所望の動作を行わせることができる。
【００１９】
そして、遠隔操作装置１から外部にする通信方法の判別を行なう（ステップＳ６）。この例では、クレードル２へ通信するので、非ＩＰ通信処理を行なう（ステップＳ７）。
【００２０】
遠隔制御装置１からクレードル２へ赤外線用制御データを送信すると、クレードル２では非ＩＰ通信処理を行ない、赤外線用制御データを受信する（ステップＳ８）。そして、ＩＰプロトコル用データを作成し（ステップＳ９）、ＩＰ通信処理を行って（ステップＳ１０）、図示しないがＡＰ３及び通信回線網４を経由して機器制御装置５へ赤外線用制御データを送信する。
【００２１】
機器制御装置５は、ＩＰ通信処理を行い、赤外線用制御データを受信する（ステップＳ１１）。そして、ＩＰプロトコルの赤外線用制御データより必要なデータを抜き出す（ステップＳ１２）。抜き出したデータが有効であるか否かを判別して（ステップＳ１３）、有効である場合、赤外線用制御データに含まれたポート番号に対応する赤外線発光回路部にて赤外線発光データ（赤外線信号）を作成する（ステップＳ１４）。そして、この赤外線発光回路部と接続している赤外線発光部から、対をなす電子機器に対して制御内容を示す赤外線コードを含む赤外線信号を発光する（ステップＳ１５）。
【００２２】
機器制御装置５の赤外線発光部から出力された赤外線信号を受信した電子ききは、赤外線信号内の赤外線コードに基づいて、所定の制御を行なう。
【００２３】
図１１は、第１実施の形態例に係るシステム構成（システム１）の通信シーケンスを示すものである。この例では、キー入力が１つの場合を表している。本例では、遠隔操作装置１から機器制御装置５に対して、例えばＳＯＡＰ（Simple Object Access Protocol）メッセージを用いて、赤外線用制御データを送信し、同様に機器制御装置５はＳＯＡＰメッセージを用いて応答（Ａｃｋ信号）を返信する。
図１１に示すように、遠隔操作装置１からの赤外線コントロールデータは、クレードル２へ非ＩＰプロトコルにより送信される。そして、クレードル２でＩＰプロトコルへの変換処理がなされ、ＩＰコントロールデータとしてＩＰ通信によりアクセスポイント３に送信される。アクセスポイント３は、ＩＰコントロールデータを機器制御装置５へ送信する。機器制御装置５は、ＩＰコントロールデータを受信すると、データ転送が正常に終了した旨の応答（Ａｃｋ信号）を送信元へ返信する。このＡｃｋ信号は、アクセスポイント３、クレードル２へ順次転送される。そして、クレードル２でＩＰプロトコルから非ＩＰプロトコルへの変換処理がなされ、遠隔操作装置５へ転送される。遠隔操作装置５がＡｃｋ信号を受け取ると、キー入力による一連の動作が完了する。
【００２４】
図１２は、第１実施の形態例に係るシステム構成（システム１）において、キー入力が２つの場合の通信シーケンスを示すものである。この例では、制御対象の電子機器がＶＴＲ（ビデオテープレコーダ）、第１のキー入力をＶＴＲ電源オン、第２のキー入力を再生とした場合としている。図１２に示すように、本システムでは複数のキー入力がある場合、第１のキー（電源オン）に対するＡｃｋ信号が戻ってくるまで次のキー（再生）を受け付けない構成としている。
【００２５】
上記構成の第１実施の形態例によれば、複数の電子機器１１〜１５が接続されている機器制御装置５のポート番号Ｐ１〜Ｐ５と各ポートに接続されている電子機器とが対応付けられた第１テーブルと、電子機器１１〜１５と当該電子機器において制御できる赤外線コードとが対応付けられた第２テーブルとを不揮発性メモリ２６に記憶させている。そして、キー入力に対する赤外線制御データに、ポート番号とそのポート番号に対応する電子機器の赤外線コードを重畳したので、機器制御装置５に複数の電子機器が接続されている場合でも、ポート番号より容易に電子機器を特定することができ、制御対象の電子機器に確実に所望の動作を行わせることができる。
【００２６】
次に、本発明の第２実施の形態例について説明する。
図１３は、本発明の第２実施の形態例に係るシステム構成を示す図である。本例のシステムは、図１に示すシステム構成に対して無線アクセスポイントを除去したものであり、遠隔操作装置１、クレードル２、通信回線網４、機器制御装置５から構成される。
【００２７】
上記システムの遠隔操作装置１からクレードル２までは、非ＩＰの無線接続である。また、クレードル２から通信回線網４及び機器制御装置５までは、ＩＰプロトコルによる通信である。クレードル２は遠隔操作装置１からの非ＩＰデータを、ＩＰプロトコルに乗せるための変換処理を行い、イーサネット（登録商標）等からなる通信回線網４へ送信する。機器制御装置５は通信回線網４よりＩＰプロトコルで送信されてきたデータから、赤外線用コントロールに必要な情報を取り出し、赤外線信号による送信を行い、接続された電子機器を制御する。
【００２８】
本例の場合、図７の動作フローチャートについては、第１実施の形態例と同様である。
【００２９】
図１４は、図１３に示す第２実施の形態例に係るシステム構成（システム２）の通信シーケンスを示すものである。この例は、キー入力が１つの場合である。図１４に示すように、遠隔操作装置１からの赤外線コントロールデータは、クレードル２へ非ＩＰプロトコルにより送信される。そして、クレードル２でＩＰプロトコルへの変換処理がなされ、ＩＰコントロールデータとしてＩＰ通信により機器制御装置５へ送信される。機器制御装置５は、ＩＰコントロールデータを受信すると、データ転送が正常に終了した旨の応答（Ａｃｋ信号）を送信元のクレードル２へ返信する。そして、クレードル２でＩＰプロトコルから非ＩＰプロトコルへの変換処理がなされ、遠隔操作装置５へ転送される。遠隔操作装置５がＡｃｋ信号を受け取ると、キー入力による一連の動作が完了する。
【００３０】
上記構成の第２実施の形態例によれば、クレードル２が備えていたＩＰプロトコル用通信部３２を利用して、クレードル２と通信回線網４との間をイーサネット等の有線によりＩＰ通信を行なうことができる。その他、本例は上述した第１実施の形態例と同様の作用効果を奏する。
【００３１】
次に、本発明の第３実施の形態例について説明する。
図１５は、本発明の第３実施の形態例に係るシステム構成を示す図である。本例のシステムは、図１に示すシステム構成に対してクレードル２を除去したものであり、遠隔操作装置１、アクセスポイント３、通信回線網４、機器制御装置５から構成される。
【００３２】
上記システムの遠隔操作装置１からアクセスポイント３までは、ＩＰ通信の無線接続である。また、アクセスポイント３から通信回線網４及び機器制御装置５までは、ＩＰプロトコルによる通信である。機器制御装置５は通信回線網４よりＩＰプロトコルで送信されてきたデータから、赤外線用コントロールに必要な情報を取り出し、赤外線信号による送信を行い、接続された電子機器を制御する。
【００３３】
本例の場合、図７の動作フローチャートにおいて、遠隔操作装置１のステップＳ６の判断処理にてＩＰ通信であると判断され、ＩＰプロトコル用データが作成される（ステップＳ１６）。そして、ＩＰ通信処理を行い（ステップＳ１７）、赤外線用制御データを、クレードル２を介さず機器制御装置５へ送信する。機器制御装置５は、ステップＳ１１にてＩＰ通信処理により、赤外線用制御データを受信し、ステップＳ１２へ移行する。その他の処理は、第１実施の形態例の場合と同様である。
【００３４】
図１６は、図１５に示す第３実施の形態例に係るシステム構成（システム３）の通信シーケンスを示すものである。この例は、キー入力が１つの場合である。図１６に示すように、遠隔操作装置１からの赤外線コントロールデータは、アクセスポイント３へＩＰプロトコルにより送信される。そして、アクセスポイント３を介してＩＰプロトコルデータとしてＩＰ通信により機器制御装置５へ送信される。機器制御装置５は、ＩＰコントロールデータを受信すると、データ転送が正常に終了した旨の応答（Ａｃｋ信号）を送信元のアクセスポイント３へ返信する。そして、アクセスポイント３から遠隔操作装置５へ転送される。遠隔操作装置５がＡｃｋ信号を受け取ると、キー入力による一連の動作が完了する。
【００３５】
上記構成の第３実施の形態例によれば、遠隔操作装置１が備えていたＩＰプロトコル用無線通信部２５を利用して、遠隔操作装置１とアクセスポイント３との間をＩＰ通信による無線接続することができる。その他、本例は上述した第１実施の形態例と同様の作用効果を奏する。
【００３６】
次に、本発明の第４実施の形態例について説明する。
図１７は、本発明の第４実施の形態例に係るシステム構成を示す図である。本例のシステムは、図１に示すシステム構成に対してクレードル２、アクセスポイント３、通信回線網４を除去したものであり、遠隔操作装置１と、これと直接通信する機器制御装置５から構成される。
【００３７】
この例では、遠隔操作装置１と機器制御装置５が直接通信を行い、その通信プロトコルは、赤外線などによる無線通信である。機器制御装置５は遠隔操作装置１より非ＩＰプロトコルで送信されてきたデータから、赤外線用コントロールに必要な情報を取り出し、赤外線信号による送信を行い、接続された電子機器を制御する。
【００３８】
本例の場合、図７の動作フローチャートにおいて、遠隔操作装置１のステップＳ７の処理が終了後、赤外線用制御データが非ＩＰ通信にて機器制御装置５へ直接送信され、ステップＳ１８へ移行する。ここで、機器制御装置５は、非ＩＰ通信処理により、赤外線用制御データを受信し、ステップＳ１３へ移行する。その他の処理は、第１実施の形態例の場合と同様である。
【００３９】
図１８は、図１７に示す第４実施の形態例に係るシステム構成（システム４）の通信シーケンスを示すものである。この例は、キー入力が１つの場合である。図１８に示すように、遠隔操作装置１からの赤外線コントロールデータが、非ＩＰ通信により機器制御装置５へ送信される。機器制御装置５は、非ＩＰコントロールデータを受信すると、データ転送が正常に終了した旨の応答（Ａｃｋ信号）を送信元の遠隔操作装置１へ返信する。遠隔操作装置５がＡｃｋ信号を受け取ると、キー入力による一連の動作が完了する。
【００４０】
上記構成の第４実施の形態例によれば、遠隔操作装置１が備えていた非ＩＰプロトコル用無線通信部２４を利用して、遠隔操作装置１と機器制御装置５とで直接通信する。その他、本例は上述した第１実施の形態例と同様の作用効果を奏する。
【００４１】
なお、上述した第１〜第３実施の形態例のように、遠隔操作装置１と機器制御装置５の通信をイーサネット等のＩＰプロトコルにより行なうようにした場合、例えば家庭内ＬＡＮに留まらず、外部からインターネット等を通じて機器制御装置５に接続されている複数の電子機器を制御することができる。
【００４２】
また本発明は、上述した各実施の形態例に限定されるものではなく、その他本発明の要旨を逸脱しない範囲において、種々の変形、変更が可能であることは勿論である。
【図面の簡単な説明】
【００４３】
【図１】本発明の第１実施の形態例に係るシステム構成を示す図である。
【図２】本発明の第１実施の形態例に係る遠隔操作装置のブロック構成を示す図である。
【図３】本発明の第１実施の形態例に係る機器制御装置のポート番号と電子機器の対応を表すテーブルである。
【図４】本発明の第１実施の形態例に係る電子機器と赤外線コードの対応を表すテーブルである。
【図５】本発明の第１実施の形態例に係るクレードルのブロック構成を示す図である。
【図６】本発明の第１実施の形態例に係る機器制御装置のブロック構成を示す図である。
【図７】本発明の第１〜第４実施の形態例に係る動作フローチャートである。
【図８】本発明の第１実施の形態例に係る電子機器選択メニューの一例を示す図である。
【図９】本発明の第１実施の形態例に係る操作メニューの一例を示す図である。
【図１０】本発明の第１実施の形態例に係る赤外線コントロールデータを示す図である。
【図１１】本発明の第１実施の形態例に係る通信シーケンス（キー入力が１つの場合）である。
【図１２】本発明の第１実施の形態例に係る通信シーケンス（キー入力が２つの場合）である。
【図１３】本発明の第２実施の形態例に係るシステム構成を示す図である。
【図１４】本発明の第２実施の形態例に係る通信シーケンスである。
【図１５】本発明の第３実施の形態例に係るシステム構成を示す図である。
【図１６】本発明の第３実施の形態例に係る通信シーケンスである。
【図１７】本発明の第４実施の形態例に係るシステム構成を示す図である。
【図１８】本発明の第４実施の形態例に係る通信シーケンスである。
【符号の説明】
【００４４】
１…遠隔操作装置、２…クレードル、３…アクセスポイント、４…イーサネット、５…機器制御装置、６ａ，６ｂ，６ｃ，６ｄ，６ｅ…赤外線発光部、１１，１２，１３，１４，１５…電子機器、１１ａ，１２ａ，１３ａ，１４ａ，１５ａ…赤外線受光部、２２…タッチパネル、２３…ディスプレイ、２４，３１，４２…非ＩＰプロトコル用無線通信部、２５，３３…ＩＰプロトコル用無線通信部、２６，３４，４８…不揮発性メモリ、２７，３５，４９…制御部、３２，４１…ＩＰプロトコル用通信部、４３，４４，４５，４６，４７…赤外線発光回路部、５０…赤外線コントロールデータ、Ｐ１，Ｐ２，Ｐ３，Ｐ４，Ｐ５…ポート番号
【図１】
2006324922.tif 000003
【図２】
2006324922.tif 000004
【図３】
2006324922.tif 000005
【図４】
2006324922.tif 000006
【図５】
2006324922.tif 000007
【図６】
2006324922.tif 000008
【図７】
2006324922.tif 000009
【図８】
2006324922.tif 000010
【図９】
2006324922.tif 000011
【図１０】
2006324922.tif 000012
【図１１】
2006324922.tif 000013
【図１２】
2006324922.tif 000014
【図１３】
2006324922.tif 000015
【図１４】
2006324922.tif 000016
【図１５】
2006324922.tif 000017
【図１６】
2006324922.tif 000018
【図１７】
2006324922.tif 000019
【図１８】
2006324922.tif 000020